(57)【要約】【課題】本発明は、ブラシ部付きの歯間清掃具において、ブラシ部が線材から脱離してしまうことを防止する。【解決手段】  歯間清掃具は、歯間に挿入される線材と、前記線材を引張した状態で、前記線材の一端を支持する一端部と他端を支持する他端部とを有する支持部と、前記線材の径方向の外側に突出する複数の突起部を有し、前記線材に沿って前記支持部の前記一端部および前記他端部の少なくともいずれか一方から前記線材の途中まで延びるブラシ部とを備え、前記ブラシ部は、前記一端部および前記他端部の少なくとも一方を基端として、弾性材料で形成されていることを特徴とする。これにより、支持部の一端部および他端部の少なくともいずれか一方を基端として弾性材料でブラシ部が形成されるため、ブラシ部が支持部に強固に固定され、ブラシ部が支持部から剥離してしまうといった不具合を抑止することができる。【選択図】図１
2020081087.tif 000002
【特許請求の範囲】
【請求項１】
歯間に挿入される線材と、
前記線材を引張した状態で、前記線材の一端を支持する一端部と他端を支持する他端部とを有する支持部と、
前記線材に沿って前記支持部の前記一端部および前記他端部の少なくともいずれか一方から前記線材の途中まで延び、前記線材の径方向の外側に突出する複数の突起部を有するブラシ部とを備え、
前記ブラシ部は、前記一端部および前記他端部の少なくとも一方を基端部として、弾性材料で形成されていることを特徴とする、歯間清掃具。
【請求項２】
前記支持部は、概略平板状に形成され、かつ、前記ブラシ部の基端部となる前記一端部および前記他端部の少なくとも一方に前記平板状の厚さ方向に貫通する貫通孔を有し、
前記ブラシ部は、前記貫通孔に弾性材料を充填するように形成されている、請求項１に記載の歯間清掃具。
【請求項３】
前記支持部は前記平板状の面の外側から凹む凹部を有し、
前記凹部に弾性材料を充填するよう前記ブラシ部に接続する接続部を形成されている、請求項２に記載の歯間清掃具。
【請求項４】
さらに、前記支持部から連続し、使用者に把持される把持部を備え、
前記接続部を形成する前記弾性材料は、前記把持部まで連続している、請求項１〜請求項３に記載の歯間清掃具。
【請求項５】
前記把持部は、前記一端部または前記他端部のいずれか一方側に設けられており、
前記ブラシ部は、把持部側の前記一端部および前記他端部の少なくとも一方を前記基端としている、請求項４に記載の歯間清掃具。
【請求項６】
歯間に挿入される線材と、
前記線材の一端を支持する一端部と他端を支持する他端部とを有し、平板状に形成される支持部と、
前記線材に沿って前記支持部の前記一端部および前記他端部の少なくともいずれか一方から前記線材の途中まで延びる軸心部とを備えることを特徴とする、歯間清掃具の本体。
【請求項７】
前記支持部は、前記軸心部側となる前記一端部および前記他端部の少なくとも一方に前記平板状の厚さ方向に貫通する貫通孔を有する、請求項６に記載の歯間清掃具の本体。
【請求項８】
歯間清掃具の本体を形成する本体形成工程と、
前記本体にブラシ部を弾性材料から形成するブラシ部形成工程とを含み、
前記本体は、歯間に挿入される線材と、前記線材の一端を支持する一端部と他端を支持する他端部とを有し、平板状に形成される支持部と、前記線材に沿って前記支持部の前記一端部および前記他端部の少なくともいずれか一方から前記線材の途中まで延びる軸心部とを備え、
前記支持部は、前記平板状の面の外側から凹む凹部を少なくとも一方の面側に有し、
前記凹部は、前記軸心部に連続する溝部を形成することを特徴とする、歯間清掃具の製造方法
【請求項９】
前記ブラシ部形成工程では、前記支持部から連続する把持部まで弾性部材により接続部を形成する、請求項８に記載の製造方法。
【請求項１０】
一端から他端に引張された状態の線材の前記一端を支持する一端部と、前記他端を支持する他端部とを有し、平板状に形成される支持部と、前記線材に沿って前記支持部の前記一端部および前記他端部の少なくともいずれか一方から前記線材の途中まで延びる軸心部とを形成する本体金型の凹所と、
前記凹部内の前記支持部の前記一端部および他端部の少なくともいずれか一方に貫通孔を形成するための柱状部を備えることを特徴とする、歯間清掃具の本体金型。
【発明の詳細な説明】
【技術分野】
【０００１】
本発明は、歯間に挿入される線材とブラシ部とを備える歯間清掃具に関する。
【背景技術】
【０００２】
従来より、歯間清掃具として、使用者の指によって摘まんで把持される把持部と、その把持部の先端側に設けられ、口腔内に案内される略コ字状の支持部とを備え、コ字状の両端に線材を引張した状態でかけ渡した歯間清掃具がある。そのような歯間清掃具は、線材を歯間に挿入し、歯間に挟まった食べ物かすを掻き出して除去できるようなっている。
【０００３】
このような歯間清掃具には、歯間の清掃性を向上すべく、特許文献１に示すように、線材沿って、線材の径方向外側に向けて突出する複数の突起部を周方向に渡って形成したブラシ部を備えるものがある。このような線材にブラシ部を形成した歯間清掃具によれば、線材のうち、ブラシ部が形成されていない部分から歯間に挿入した後、線材に沿ってブラシ部を歯間に挿入することにより、ブラシ部を円滑に歯間に誘導し、清掃性の高いブラシ部で歯間を清掃することができる。
【先行技術文献】
【特許文献】
【０００４】
【特許文献１】特開２０１３−１５０７０９号公報
【発明の概要】
【発明が解決しようとする課題】
【０００５】
しかし、上述のように線材にブラシ部を形成した歯間清掃具では、ブラシ部が容易に線材から脱離してしまうという問題があった。特に、口腔を清掃している際にブラシ部が脱離して口腔内に残ると、誤ってブラシ部を嚥下してしまうという危険もあった。
【０００６】
本発明は、上記のような課題に鑑み、線材とブラシ部とを備える歯間清掃具において、ブラシ部が線材から脱離してしまうことを防止することを目的とする。
【課題を解決するための手段】
【０００７】
（１）本発明に係る歯間清掃具は、歯間に挿入される線材と、前記線材を引張した状態で、前記線材の一端を支持する一端部と他端を支持する他端部とを有する支持部と、前記線材に沿って前記支持部の前記一端部および前記他端部の少なくともいずれか一方から前記線材の途中まで延び、前記線材の径方向の外側に突出する複数の突起部を有するブラシ部とを備え、前記ブラシ部は、前記一端部および前記他端部の少なくとも一方を基端部として、弾性材料で形成されていることを特徴とする。
【０００８】
このような歯間清掃具によれば、支持部の一端部および他端部の少なくともいずれか一方を基端としてブラシ部が弾性材料により形成されている。これにより、ブラシ部が支持部に強固に固定されるため、ブラシ部が支持部から剥離してしまうといった不具合を抑止することができる。
【０００９】
（２）前記支持部は、概略平板状に形成され、かつ、前記ブラシ部の基端部となる前記一端部および前記他端部の少なくとも一方に前記平板状の厚さ方向に貫通する貫通孔を有し、前記ブラシ部は、前記貫通孔に弾性材料を充填するように形成されていてもよい。
【００１０】
このような歯間清掃具によれば、支持部に形成された貫通孔に弾性材料を充填するようにブラシ部が形成されることにより、ブラシ部が支持部に強固に固定されるため、ブラシ部が支持部から剥離してしまうといった不具合を抑止することができる。
【００１１】
（３）前記した歯間清掃具によれば、前記支持部は前記平板状の面の外側から凹む凹部を有し、前記凹部に弾性材料を充填するよう前記ブラシ部に接続する接続部を形成されていてもよい。このような歯間清掃具によれば、凹部に弾性材料を充填するように接続部が形成されることにより、ブラシ部が支持部に強固に固定されるため、ブラシ部が支持部から剥離してしまうといった不良を抑止することができる。
【００１２】
（４）さらに、前記支持部から連続し、使用者に把持される把持部を備え、前記接続部を形成する前記弾性材料は、前記把持部まで連続していてもよい。このような歯間清掃具によれば、弾性材料が把持部まで形成されることにより、弾性部材のグリップ力により歯間清掃具の把持が容易になる。
【００１３】
（５）前記した（４）の歯間清掃具において、前記把持部は、前記一端部または前記他端部のいずれか一方側に設けられており、前記ブラシ部は、把持部側の前記一端部および前記他端部の少なくとも一方を前記基端としていてもよい。このような歯間清掃具によれば、ブラシ部が把持部側に形成されることになるため、ブラシ部の基端から把持部まで弾性材料を少量にすることができる。
【００１４】
（６）本発明に係る歯間清掃具の本体は、歯間に挿入される線材と、前記線材の一端を支持する一端部と他端を支持する他端部とを有し、平板状に形成される支持部と、前記線材に沿って前記支持部の前記一端部および前記他端部の少なくともいずれか一方から前記線材の途中まで延びる軸心部とを備えることを特徴とする。
【００１５】
この歯間清掃具の本体によれば、線材と、線材を支持する支持部と、支持部の一端部および他端部の少なくともいずれか一方から線材の途中まで延びる軸心部とを備えることにより、軸心部に沿って、ブラシ部を形成することができる。これにより、軸心部にブラシ部が強固に結合した歯間清掃具を容易に製造することができる。
【００１６】
（７）前記した歯間清掃具の本体において、前記支持部は、前記軸心部側となる前記一端部および前記他端部の少なくとも一方に前記平板状の厚さ方向に貫通する貫通孔を有してもよい。この歯間清掃具によれば、支持部に形成された貫通孔に弾性材料を充填するようにブラシ部が形成されることにより、ブラシ部が支持部に強固に固定されるため、ブラシ部が支持部から剥離してしまうといった不具合を抑止することができる。
【００１７】
（８）本発明に係る歯間清掃具の製造方法は、歯間清掃具の本体を形成する本体形成工程と、前記歯間清掃具の本体にブラシ部を弾性材料から形成するブラシ部形成工程とを含み、前記本体は、歯間に挿入される線材と、前記線材の一端を支持する一端部と他端を支持する他端部とを有し、平板状に形成される支持部と、前記線材に沿って前記支持部の前記一端部および前記他端部の少なくともいずれか一方から前記線材の途中まで延びる軸心部とを備え、前記支持部は、前記平板状の面の外側から凹む凹部を少なくとも一方の面側に有し、前記凹部は、前記軸心部に連続する溝部を形成することを特徴とする。
【００１８】
この歯間清掃具の製造方法によれば、本体形成工程により、線材を支持する支持部が凹部を備え、凹部が線材に連続する溝部を形成された歯間清掃具の本体が形成され、ブラシ部形成工程において、本体の凹部から溝部を介して弾性部材を軸心部から線材に向けて流しこみ、ブラシ部を形成することが可能となる。これにより、線材にブラシ部が強固に結合した歯間清掃具を容易に製造することができる。
【００１９】
（９）前記した歯間清掃具の製造方法において、記ブラシ部形成工程は、前記支持部から連続する把持部まで弾性部材により接続部を形成してもよい。この歯間清掃具の製造方法によれば、弾性材料が把持部まで形成され、弾性部材のグリップ力により把持が容易な歯間清掃具を容易に製造することができる。
【００２０】
（１０）本発明に係る歯間清掃具の金型は、一端から他端に引張された状態の線材の前記一端を支持する一端部と、前記他端を支持する他端部とを有し、平板状に形成される支持部と、前記線材に沿って前記支持部の前記一端部および前記他端部の少なくともいずれか一方から前記線材の途中まで延びる軸心部とを形成する金型の凹所と、前記凹部内の前記支持部の前記一端部および他端部の少なくともいずれか一方に貫通孔を形成するための柱状部を備えることを特徴とする。
【００２１】
この歯間清掃具の本体金型によれば、歯間清掃具は、線材を支持する支持部の一端部および他端部の少なくともいずれか一方に線材の途中まで延びる軸心部が形成される。このとき、金型は、軸心部の形成される側の一端部または他端部の凹部内に、貫通孔を形成するための柱状部を備えることにより、軸心部までの本体を形成する材料の流れが制御され、線材に沿った軸心部を容易に形成できる。
【発明の効果】
【００２２】
本発明は、ブラシ部が線材から脱離してしまうことを防止することを目的とする。
【図面の簡単な説明】
【００２３】
【図１】本発明の実施形形態に係る歯間清掃具を示すであり、（Ａ）は、歯間清掃具の正面図、（Ｂ）は歯間清掃具の上面図、（Ｃ）は、歯間清掃具の底面図、（Ｄ）は歯間清掃具の左側面図、（Ｅ）は歯間清掃具の右側面図を示す。
【図２】図１におけるブラシ部の断面図を示す。
【図３】歯間清掃具の本体を形成するための本体金型の正面図を示す。
【図４】歯間清掃具の本体金型の断面図を示し、図４（Ａ）、図４（Ｂ）および図４（Ｃ）は、それぞれ、図３における断面Ｔ、断面Ｕおよび断面Ｖにおける本体金型の断面図を示す。
【図５】歯間清掃具の本体を示すであり、（Ａ）は、歯間清掃具の本体の正面図、（Ｂ）は歯間清掃具の本体の上面図、（Ｃ）は、歯間清掃具の本体の底面図、（Ｄ）は歯間清掃具の本体の左側面図、（Ｅ）は歯間清掃具の本体の右側面図を示す。
【図６】歯間清掃具の接続体を形成するための接続体金型の正面図を示す。
【図７】図６の断面Ｗにおける接続体金型の断面図を示す。
【発明を実施するための形態】
【００２４】
本発明の実施形態に係る歯間清掃具１および、歯間清掃具の製造方法について、図１〜図７を参照して詳細に説明する。
【００２５】
図１は、歯間清掃具１を示すであり、（Ａ）は、歯間清掃具１の正面図、（Ｂ）は歯間清掃具１の上面図、（Ｃ）は、歯間清掃具１の底面図、（Ｄ）は歯間清掃具１の左側面図、（Ｅ）は歯間清掃具１の右側面図を示す。なお、歯間清掃具１の背面図は、図示しないが、（Ａ）の正面図と左右を逆にして同じになる。また、（Ａ）の斜線部は、後述する接続部５０を示す。
【００２６】
図１に示すように、歯間清掃具１は、歯間に挿入される線材１０と、線材１０を引張した状態で支持する支持部２０と、支持部２０に連続し、歯間清掃具１を操作する者が把持する把持部３０と、線材１０に沿って支持部２０の他端部２２から線材１０の途中まで延びる軸心部６０（図５を参照）と、軸心部６０を覆うように、線材１０に沿って支持部２０の他端部２２から線材１０の途中まで延びるブラシ部４０と、ブラシ部４０から連続して支持部２０および把持部３０まで設けられる接続部５０とを有する。
【００２７】
線材１０は、例えば、数百本のフィラメントを束ねて１ｍあたり５０回程度の撚りをかけて製造される。フィラメントは撚りをかけることにより相互に密着し、断面が略円形に形成される。また、フィラメントは、ナイロンのような合成樹脂を材料としている。
【００２８】
支持部２０は、線材１０の一端を支持する一端部２１と他端を支持する他端部２２とを有し、一端部２１から他端部２２にかけて弧状に形成されている。支持部２０と線材１０とは、それぞれが弧と弦からなる弓形状に構成されている。本実施形態において、把持部３０は、支持部２０の他端側に連続して設けられている。
【００２９】
支持部２０と把持部３０と軸心部６０とはポリプロピレンのような合成樹脂を材料として一体的に平板状に形成されている。すなわち、支持部２０と把持部３０と軸心部６０とは本体形成工程にて同時に形成される。
【００３０】
図２は、図１における仮想的な断面Ｓのブラシ部４０の断面を示す断面図である。図２に示すように、ブラシ部４０は、線材１０および軸心部６０を包むように軸心部６０の外周に沿って形成されており、線材１０の径方向の外側に突出する複数の突起部４１を有する。なお、軸心部６０は、線材１０を包むように線材１０の外周に沿って形成されている。
【００３１】
突起部４１は、線材１０の延在方向における断面視で十字状になるように四方に突出し、また、異なる断面では、周方向に位相をずらして四方に突出している。本実施形態において、軸心部６０は、線材１０を中心として線材１０を包むように形成されており、ブラシ部４０は、線材１０を中心として軸心部６０を包むように形成されている。
【００３２】
再び図１を参照するに、接続部５０は、ブラシ部４０から連続し、平板状の支持部２０および把持部３０において、正面側および背面側の両面に埋め込まれるように支持部２０の他端部２２から略中央部にかけてと、把持部３０の終端付近まで、支持部２０と把持部３０とに沿って延在している。
【００３３】
接続部５０において、支持部２０の他端部２２に対応する部分がブラシ部４０の基端部となっている。接続部５０とブラシ部４０とはエラストマーのような弾性材料により一体的に形成されている。すなわち、ブラシ部４０と接続部５０とはブラシ部形成工程にて同時に形成される。
【００３４】
歯間清掃具１は、支持部２０と把持部３０と軸心部６０とを含む歯間清掃具の本体１１と、ブラシ部４０と接続部５０とを含む接続体とで異なる工程で製造される。歯間清掃具の本体１１は接続部５０が埋め込まれた状態となる凹部１１ａを有し（図５を参照）、接続部５０が凹部１１ａに嵌り込んだ状態で、歯間清掃具１は、ブラシ部４０を除いて、平板状に形成されている。すなわち、接続部５０は、歯間清掃具の本体１１の凹部１１ａに対して、いわゆる面一の状態となる。
【００３５】
次に、本発明の実施形態に係る歯間清掃具の製造方法について説明する。
【００３６】
歯間清掃具の製造方法は、主に、歯間清掃具の本体１１を形成する本体形成工程と、歯間清掃具の本体１１にブラシ部４０および接続部５０を形成するブラシ部形成工程とを含む。すなわち、歯間清掃具１は、いわゆる二色成型により製造される。
【００３７】
ここで、図３は、歯間清掃具の本体１１を形成するための本体金型Ｍの正面図、図４（Ａ）、図４（Ｂ）および図４（Ｃ）は、それぞれ、図３の断面Ｔ、断面Ｕおよび断面Ｖにおける本体金型Ｍの断面図を示す。なお、図３および図４の本体金型Ｍにおいて、説明を簡単にするために、線材１０を挟み込むための左右方向に延在する凹所については、図示を省略する。
【００３８】
また、図５は、歯間清掃具の本体１１を示すであり、（Ａ）は、歯間清掃具の本体１１の正面図、（Ｂ）は歯間清掃具の本体１１の上面図、（Ｃ）は、歯間清掃具の本体１１の底面図、（Ｄ）は歯間清掃具の本体１１の左側面図、（Ｅ）は歯間清掃具の本体１１の右側面図を示す。なお、歯間清掃具の本体１１の背面図は、図示しないが、（Ａ）の正面図と左右を逆にして同じになる。
【００３９】
さらに、図６は、歯間清掃具の接続体を形成するための接続体金型Ｎの正面図を示し、図７は、図６の断面Ｗにおける接続体金型Ｎの断面図を示す。
【００４０】
歯間清掃具の製造方法において、まず、本体形成工程では、従来よく知られた射出成型により、合成樹脂を材料として圧力をかけながら本体金型Ｍに流し込まれることにより、歯間清掃具の本体１１が形成される。このとき、本体金型には線材１０が所定の位置に配置されており、歯間清掃具の本体１１は、線材１０を含む。なお、線材１０は、支持部２０の外側部分が切断されて、支持部２０の内側のみが残される。
【００４１】
歯間清掃具の本体形成工程では、本体金型Ｍは、概略前後対称の一対の金型片（図３を参照）により形成されており、合成樹脂が流し込まれる凹所Ｍ１１を内側にして、一対の金型片を合わせる。その後、金型片に形成された材料導入孔（図示なし）から合成樹脂を材料として導入することにより、金型の内側に設けられた凹所Ｍ１１に適合した形状に歯間清掃具の本体１１が形成される。
【００４２】
ここで、図３および図４に示すように、本体金型Ｍの一対の金型片のそれぞれには、流し込まれた合成樹脂が支持部２０と把持部３０と軸心部６０とを形成するように、支持部２０と把持部３０とに対応した凹所Ｍ１１と、軸心部６０に対応した凹所Ｍ６０とが形成されている（図４（Ａ）を参照）。また、支持部２０と把持部３０に対応する凹所Ｍ１１内には、後の工程でエラストマーが流し込まれ凹部１１ａを形成するための凸状部Ｍ１１ａが形成されている。
【００４３】
本体金型Ｍにおいて、支持部２０の他端部２２に対応する場所には、線材１０に連続する溝部２４に対応する突出部Ｍ２４が形成される（図４（Ｂ）を参照）。さらに、本体金型Ｍは、凹所Ｍ１１内の所定の場所に貫通孔２３を形成するための柱状部Ｍ２３が形成されている（図４（Ｃ）を参照）。ここで、柱状部Ｍ２３が形成されることにより、合成樹脂の流れが制御され、軸心部６０の概略中心に線材１０が位置するように、軸心部６０を形成することができる。すなわち、本体金型Ｍに合成樹脂を流し込む際に、柱状部Ｍ２３は、合成樹脂が線材１０に直接流れ込むことを防止する。これにより、線材１０は合成樹脂から受ける圧力が軽減されるため、ぶれることなく、所定の位置に維持された状態で、周囲に合成樹脂の軸心部６０を形成される。これにより、線材１０が中心となるように軸心部６０を形成することができる。
【００４４】
図５に示すように、本体形成工程において形成された歯間清掃具の本体１１は、歯間に挿入される線材１０と、線材１０の一端を支持する一端部２１および他端を支持する他端部２２を有する支持部２０と、把持部３０と、軸心部６０とを備え、概略開平板状に形成されている。また、支持部２０は、平板状の両面の外側から凹む凹部１１ａを両面に有し、当該凹部１１ａは、線材１０に連続する溝部２４を形成されている。
【００４５】
さらに、支持部２０に位置する凹部１１ａは、平板状の両面において同一形状に形成されており、凹部１１ａの形成された支持部２０の他端部２２、すなわちブラシ部４０の基端に相当する位置には、両面から貫通する貫通孔２３が形成されている。貫通孔２３は、断面円形に形成されている。しかし、貫通孔２３の断面形状は、他の形状であってもよい。
【００４６】
歯間清掃具の製造方法において、次に、ブラシ部形成工程では、従来よく知られた射出成型により、後述する接続体金型Ｎに歯間清掃具の本体１１を配置し、接続体金型Ｎ内にエラストマーを弾性材料として圧力をかけながら流し込むことにより、ブラシ部４０および接続部５０を形成する。
【００４７】
具体的には、歯間清掃具の接続体形成工程では、接続体金型Ｎは、概略前後対称の一対の金型片（図６を参照）により形成されており、弾性材料であるエラストマーが流し込まれる凹所Ｎ１１を内側にして、歯間清掃具の本体１１を挟み込んだ状態で、一対の金型片を合わせる。その後、金型片に形成された材料導入孔（図示なし）からエラストマーを導入することにより、金型の内側に設けられた凹所Ｎ１１と歯間清掃具の本体１１とから形成される空間Ｍ５０ｓに歯間清掃具１のブラシ部４０および接続部５０が形成される。
【００４８】
ブラシ部形成工程において、接続体金型Ｎに流し込まれたエラストマーがブラシ部４０と接続部５０とを形成するように、凹所Ｎ１１は、ブラシ部４０を形成する凹所Ｎ４０と、本体１１を受け入れる凹所Ｎ５０とが形成されている。本体１１の凹部１１ａは金型の凹所Ｎ５０対して空間Ｍ５０ｓが形成され、その空間Ｍ５０ｓにエラストマーが流れ込むことにより接続部５０が形成される。
【００４９】
このとき、支持部２０の他端部２２では、溝部２４を介してエラストマーが線材１０に向けて凹所Ｎ４０に流れ込むことになる。これにより、ブラシ部４０は、軸心部６０が先の本体形成工程で概略中心に位置するように形成されるため、ブラシ部４０は、歯間清掃具の本体１１に強固に結合することになる。
【００５０】
以上のように、本実施形態に係る歯間清掃具１は、線材１０と、線材１０に沿って形成されたブラシ部４０とを備える。また、ブラシ部４０は、支持部２０の他端部２２を基端部として形成されている。これにより、線材１０部分から歯間に挿入され、ブラシ部４０を歯間に誘導することで歯間挿入を容易にしながら、清掃性の高いブラシ部４０で歯間を清掃することができるとともに、ブラシ部４０が線材から脱離することを防止できる。
【００５１】
本実施形態に係る歯間清掃具１において、線材１０は、数百本のフィラメントを束ねて１ｍあたり５０回程度の撚りをかけて製造される形態について説明した。しかし、繊維状部材を製造する際のフィラメントの本数、撚り数は適宜変更できる。また、フィラメントの材料は、ポリアミド以外の他の合成樹脂であってもよい。
【００５２】
本実施形態に係る歯間清掃具１において、ブラシ部４０は、支持部２０の他端部２２を基端部として延びる形態について説明した。しかし、ブラシ部４０が支持部２０の一端部２１を基端として延びてもよい。すなわち、ブラシ部４０は、一端部２１および他端部２２の少なくともいずれか一方を基端部として延びていればよい。
【００５３】
本実施の形態に係る歯間清掃具１において、接続部５０は、歯間清掃具の本体１１の凹部１１ａに対して、いわゆる面一の状態となる形態について説明してきた。しかし、接続部５０は、歯間清掃具の本体１１の凹部１１ａから突出したり、または、はみ出すように形成されていてもよい。
【００５４】
本実施形態において、接続部５０の形状は、正面図および背面図において左右を逆にして同一になる形態について説明した。しかし、接続部５０の形状は、異なる形状であってもよい。例えば、正面側において接続部５０が把持部３０まで連続し、背面側において、接続部５０が他端部２２までしか連続しないような形状であってもよい。
【００５５】
本実施形態に係る歯間清掃具１において、ブラシ部４０は、線材１０の径方向の外側に突出する複数の突起部４１を有する形態について説明した。しかし、ブラシ部４０は、他の形状であってもよく、例えば、断面視で突起の本数が６つ、８つ等でもよく、また例えば、突起部４１を有さず、単に線材１０を包む筒状に形成されていてもよい。さらに、複数の突起が螺旋状に配置されていてもよい。
【００５６】
本実施形態に係る歯間清掃具の本体１１において、ポリプロピレンのような合成樹脂を材料とする形態について説明してきた。しかし、歯間清掃具の本体１１は、所定の合成を有し、口腔内でしようできる材料であれば、他の材料であってもよい。また、本実施形態に係る歯間清掃具１の接続体１２において、エラストマーにより形成される形態について説明した。しかし、接続体１２は、エラストマーに限らず、天然ゴム、合成ゴム等の材料であってもよい。
【００５７】
本実施形態に係る歯間清掃具１の本体金型Ｍ、および接続体金型Ｎにおいて、１つの歯間清掃具１を成型する形態について説明してきた。しかし、両金型は、１度に複数個の成型が可能なように、凹所が成型されていてもよい。
【００５８】
以上、本発明の具体的な態様の例を、上記の実施形態、実施例により説明したが、本発明は、当該実施形態および実施例に限定されるものではない。
【符号の説明】
【００５９】
１      歯間清掃具
１０    線材
１１    本体
１２    接続体
２０    支持部
２１    一端部
２２    他端部
２３    貫通孔
２４    溝部
３０    把持部
４０    ブラシ部
５０    接続部
【図１】
2020081087.tif 000003
【図２】
2020081087.tif 000004
【図３】
2020081087.tif 000005
【図４】
2020081087.tif 000006
【図５】
2020081087.tif 000007
【図６】
2020081087.tif 000008
【図７】
2020081087.tif 000009